(57)【特許請求の範囲】
【請求項１】
アルカリイオン源を含む水を電解槽で酸性水とアルカリ水に分離し、酸性水を排水してアルカリ水のみを供給する整水器であって、アルカリ水を供給する整水モードと、電解槽で電解を行わずにアルカリ水を供給しない非整水モードを備えた整水器において、
水を供給する給水源と、
該水にアルカリイオン源を供給する手段と、
陽極室と陰極室を備え該アルカリイオン源を含む水を電解する電解槽と、
前記アルカリイオン源を供給する手段の給水源側と前記電解槽の陽極室側に直結可能なバイパス管路と、
該バイパス管路と給水源側との接続／非接続を行う弁手段であって、前記整水モードの時に給水源側とバイパス管路とを非接続とし、前記非整水モードの時に給水源側とバイパス管路とを接続する、弁手段と、
前記バイパス管路に連結し、前記整水モードで前記バイパス管路と給水源側とが前記弁手段により非接続の時、前記陽極室側から該バイパス管路を経由して水を排水する排水管と、
を備えた整水器。
【請求項２】
前記弁手段がバイパス管路を給水源側と排水管側に選択的に接続する切替弁である、
請求項１に記載の整水器。
【請求項３】
前記弁手段によりバイパス管路と給水源側とが非接続の時、前記排水管を開として排水させることが可能な第２の弁手段を排水管に備えた、
請求項１に記載の整水器。
【発明の詳細な説明】
【０００１】
【発明の属する技術分野】
この発明は、整水器に関する。
【０００２】
【従来の技術】
整水器は水道などの給水源からの水にアルカリイオン源を添加し、該アルカリイオン源を含む水を電解槽で酸性水とアルカリ水に分離し、酸性水を排水してアルカリ水のみを供給するように構成されている。アルカリイオン源として通常Ｃａ添加が行われている。
また整水器は上記アルカリ水を供給する整水モードに加えて、電解を行わない非整水モードを備えているのが普通である。
【０００３】
【発明が解決しようとする課題】
しかし、従来の整水器において、非整水モードにおいても一部の水が排水され、またアルカリイオン源の添加が継続してなされ、水資源を無駄に廃棄し又アルカリイオン源添加剤を無駄に消費する問題があった。
本発明は上記従来技術の問題を解決することを目的とする。
【０００４】
【課題を解決するための手段】
上記目的を達成するために、本発明は、アルカリイオン源を含む水を電解槽で酸性水とアルカリ水に分離し、酸性水を排水してアルカリ水のみを供給する整水器であって、アルカリ水を供給する整水モードと、電解槽で電解を行わずにアルカリ水を供給しない非整水モードを備えた整水器において、水を供給する給水源と、該水にアルカリイオン源を供給する手段と、陽極室と陰極室を備え該アルカリイオン源を含む水を電解する電解槽と、前記アルカリイオン源を供給する手段の給水源側と前記電解槽の陽極室側に直結可能なバイパス管路と、該バイパス管路と給水源側との接続／非接続を行う弁手段であって、前記整水モードの時に給水源側とバイパス管路とを非接続とし、前記非整水モードの時に給水源側とバイパス管路とを接続する、弁手段と、前記バイパス管路に連結し、前記整水モードで前記バイパス管路と給水源側とが前記弁手段により非接続の時、前記陽極室側から該バイパス管路を経由して水を排水する排水管と、を備えたことを特徴とする。
上記バイパス管路を給水源側と接続することにより給水源側からの水は直接電解槽に入水し、アルカリイオン源の供給を受けることがない。従って、非整水モード時に弁手段によりバイパス管路を給水側に接続することによりアルカリイオン源の供給を行わないようにすることが可能であり、アルカリイオン源の無駄な消費を防止できる。
また前記バイパス管路を経由して水を排水する排水管によりバイパス管路が給水源側と非接続の時、即ち整水モードの時の酸性水の排水はバイパス管路を使用して行うことが可能になり、装置の簡略化を図れる。また、バイパス管路が給水源側と接続されている時、即ち非整水モードの時はバイパス管路は給水源側からの水が電解槽に向かって流れるため、排水が行われることがなく、無駄な排水を防止できる。
なお前記弁手段としてバイパス管路を給水源側と排水管側に選択的に接続する切替弁を用いることが望ましい。
また、前記弁手段によりバイパス管路と給水源側とが非接続の時、前記排水管を開として排水させることが可能な第２の弁手段を排水管に備えるようにすることも可能である。
【０００５】
【発明の実施の形態】
以下本発明の実施の形態を図面に基づいて説明する。
図１において、給水源側から順に浄水器１、Ｃａ添加装置２、電解槽３が配設されている。給水源からの水は配管１１を通って、浄水器１により浄水された上、配管１２を通ってＣａ添加装置２でＣａを添加され、更に配管１３を通って電解槽３において電解されるようになっている。
電解槽３は陽極室３０と陰極室３１及び隔膜３２を備えており、陽極室３０には陰性イオン（酸性水）がたまり、陰極室３１には陽性イオン（アルカリ水）が溜まるように構成されている。
陰極室３１には吐水管４が設けられ、この吐水管４からアルカリ水が供給されるように構成されている。
【０００６】
電解槽３の陽極室３０にはバイパス管路５が設けられており、三方弁７を経由して接続管６を介して配管１２と接続／非接続可能に連結している。三方弁７の他方側には排水管８が接続されており、三方弁７はバイパス管路５を接続管６と配管１２側へ接続するか或いは排水管８側へ接続するかを選択するように構成されている。
なお、１５は水温センサ、１６は水流センサである。
【０００７】
上記構成において、整水時、即ちアルカリ生成時は図１に示すように、三方弁７はバイパス管路５を接続管６側へ接続せず、バイパス管路５と排水管８を接続するようになっている。また電解槽３には電流が供給され、電解を行うようになっている。
給水源からの水は浄水器１で浄化された後、配管１２からＣａ添加装置２に送られ、ここでＣａを添加され、電解槽３において電解され、アルカリ水は陰極室３１から吐水管４を介して供給される。一方酸性水は陽極室３０からバイパス管路５を通って、三方弁７を経由し排水管８から排出される。
以上の動作によりアルカリ水が得られる。
【０００８】
非整水時には、図２に示すように三方弁７の切替が行われ、バイパス管路５が接続管６側に接続し、バイパス管路５と排水管８の接続は断たれる。電解槽３には通電されず、電解は行われない。
給水源からの水は同様に浄水器１で浄水され、配管１２を通って接続管６、三方弁７を経由してバイパス管路５から電解槽３へと至る。一部は配管１２からＣａ添加装置２を通って電解槽３に至るが、その量は図１の状態に比べて遙かに少ない。またＣａ添加装置２への通水を完全に止めるために弁などを設けることも可能である。
この動作によりＣａ添加装置２におけるＣａ添加剤の消費が抑制される。
【０００９】
電解槽３においては、電解が行われておらず、バイパス管路５からの水と配管１３からの水は全量吐水管４から供給され、排水される水はない。即ちバイパス管路５と排水管８の接続は断たれ、バイパス管路５からは配管１２からの水が流入するため、電解槽３からバイパス管路５側へ排水されることがなく、そのため無駄な排水が防止できる。
【００１０】
以上説明した実施形態によれば、非整水時にはＣａ添加剤の消費が抑制され更に電解槽３からの排水がなく、無駄な排水をなくすことが可能である。
【００１１】
図３と図４に他の実施形態を示す。ここでは、三方弁７に変えて電磁弁９と電磁弁１０を設けている。電磁弁９と電磁弁１０はそれぞれバイパス管路５に接続し、電磁弁９は接続管６を介して配管１２に接続し、電磁弁１０は排水管８に接続している。そして、図３に示すように整水時には電磁弁９を閉とし、電磁弁１０を開とすることにより、給水源からの水を全量Ｃａ添加装置２に送り、電解槽３で電解を行って吐水管４からアルカリ水を供給し、バイパス管路５と電磁弁１０及び排水管８を介して酸性水を排水するようになっている。
一方、非整水時には図４に示すように電磁弁９を開、電磁弁１０を閉とすることにより、配管１２からバイパス管路５を介して電解槽３に水を送り、Ｃａ添加装置２へ送られる水の量を制限してＣａ添加剤の消耗を抑制するように構成されている。また、電解槽３からは吐水管４から水が供給されるだけで、排水は行われないようになっている。
なお、他の構成及び動作は図１及び図２に示すものと同一であるため、説明を省略する。
この実施形態においても、非整水時にはＣａ添加剤の消費が抑制され更に電解槽３からの排水がなく、無駄な排水をなくすことが可能になる。
【００１２】
【発明の効果】
以上説明したように本発明の整水器によれば、非整水時のアルカリイオン供給源の消費を抑制できる。また更に請求項２乃至４の発明においては、上記効果に加えて無駄な排水をなくすことが可能である。
【図面の簡単な説明】
【図１】本発明の一実施形態を示す概略図。
【図２】本発明の一実施形態の他の状態を示す概略図。
【図３】本発明の他の実施形態を示す概略図。
【図４】本発明の他の実施形態の他の状態を示す概略図。
【符号の説明】
１：浄水器、２：Ｃａ添加装置、３：電解槽、４：吐水管、５：バイパス管路、６：接続管、７：三方弁、８：排水管、９：電磁弁、１０：電磁弁、１１：配管、１２：配管、１３：配管、１５：水温センサ、１６：水流センサ、３０：陽極室、３１：陰極室、３２：隔膜。
【図１】
0004384289.tif 000002
【図２】
0004384289.tif 000003
【図３】
0004384289.tif 000004
【図４】
0004384289.tif 000005